(57)【要約】      （修正有）【課題】良好な精度でカリヨン・チャイムを解放可能にする小形の代替形態をもたらす機械式時計を提案する。【解決手段】時及び四半時を異なるメロディで打鈴するカリヨン打鈴機構１００を有する計時器ムーブメントであって、カリヨン打鈴機構１００は、クォーター・サプライズ・ピース１９を含み、クォーター・サプライズ・ピース１９は、クォーター・スネイル１０と同軸であり、クォーター・スネイル１０の上に重ねられ、角度移動を制限した状態でクォーター・スネイル１０に対して少なくとも部分的に枢動自由であり、正時における四分の四半時のメロディ、新たな時における最初の分のメロディの順次演奏を保証するように構成し、カリヨン打鈴機構１００は、クォーター・サプライズ・ピース１９の平面内に、このクォーター・サプライズ・ピース１９を駆動及び／又は係止するように構成したクォーター・サプライズ・ピース・ジャンパ１０９を更に含む。【選択図】図３
2018105851.tif 000002
【特許請求の範囲】
【請求項１】
少なくとも時、及び各１時間周期の間で四半時を打鈴するように構成したカリヨン打鈴機構（１００）を含む計時器ムーブメント（２００）であって、前記カリヨン打鈴機構（１００）は、各四半時及び正時で異なるメロディを伴い、前記ムーブメント（２００）は、少なくとも１つのクォーター・スネイル（１０）を駆動するように構成した駆動手段を含み、前記打鈴機構（１００）は、
−アワー・スネイル（２０）、
−クォーター・ラック駆動小歯車（１２）、
−枢動ミニッツ・ラック（３２）、
−ミニッツ・サプライズ・ピース（３７）
を含み、前記アワー・スネイル（２０）は、アワー・ジャンパ（２３）が保持するアワー・スター・ホイール（２２）が支持し、各時で、前記クォーター・スネイル（１０）と一体であるクォーター・ピン（２９）によって位置決めし、前記クォーター・ラック駆動小歯車（１２）は、打鈴列によって駆動し、枢動クォーター・ラック（１３）を駆動するように構成し、前記枢動クォーター・ラック（１３）の枢動移動は、前記クォーター・ラック（１３）と一体であるクォーター・フィーラ（１４）によって制限し、前記枢動クォーター・ラック（１３）は、前記クォーター・スネイル（１０）上に載置されるように構成し、前記枢動ミニッツ・ラック（３２）の枢動移動は、前記枢動ミニッツ・ラック（３２）と一体であるミニッツ・フィーラ（３１）によって制限し、前記枢動ミニッツ・ラック（３２）は、前記ムーブメント（２００）の前記駆動手段によって駆動するミニッツ・スネイル（３０）上に載置されるように構成し、前記クォーター・ラック（１３）は、前記ミニッツ・ラック（３２）の駆動歯（３９）を駆動するように構成した駆動手段を備え、前記ミニッツ・サプライズ・ピース（３７）は、前記ミニッツ・スネイル（３０）と同軸であり、前記ミニッツ・スネイル（３０）の上に重ねられ、前記クォーター・スネイル（１０）と一体に回転し、前記ミニッツ・スネイル（３０）に対して少なくとも部分的に枢動自由であり、ミニッツ・サプライズ・ピース・ジャンパ（３８）と協働し、四半時の変更直後及び最初の分の間に前記ミニッツ・スネイル（３０）内に備えたゼロ分段を延長するように構成する、計時器ムーブメント（２００）において、
前記打鈴機構（１００）は、クォーター・サプライズ・ピース（１９）を含み、前記クォーター・サプライズ・ピース（１９）は、前記クォーター・スネイル（１０）と同軸であり、前記クォーター・スネイル（１０）の上に重ねられ、角度移動を制限した状態で前記クォーター・スネイル（１０）に対して少なくとも部分的に枢動自由であり、正時における四分の四半時のメロディ、新たな時における最初の分のメロディの順次演奏を保証するように構成し、前記打鈴機構（１００）は、前記クォーター・サプライズ・ピース（１９）の平面内に、前記クォーター・サプライズ・ピース（１９）を駆動及び／又は係止するように構成したクォーター・サプライズ・ピース・ジャンパ（１０９）を更に含むことを特徴とする、計時器ムーブメント（２００）。
【請求項２】
前記クォーター・サプライズ・ピース・ジャンパ（１０９）は、前記ミニッツ・サプライズ・ピース・ジャンパ（３８）とは別個であることを特徴とする、請求項１に記載のムーブメント（２００）。
【請求項３】
前記クォーター・サプライズ・ピース・ジャンパ（１０９）は、前記ミニッツ・サプライズ・ピース・ジャンパ（３８）と一体組立体を形成することを特徴とする、請求項１に記載のムーブメント（２００）。
【請求項４】
前記クォーター・サプライズ・ピース・ジャンパ（１０９）は、前記ミニッツ・サプライズ・ピース・ジャンパ（３８）と連結していることを特徴とする、請求項１に記載のムーブメント（２００）。
【請求項５】
前記クォーター・ラック（１３）は、第１のクォーター歯（１５）及び第２のクォーター歯（１０５）を含み、前記第１のクォーター歯（１５）は、第１のクォーター・ハンマ・トリップと協働し、第１の四半時ゴングを打鈴するように構成した第１のクォーター・ハンマを作動するように構成し、前記第２のクォーター歯（１０５）は、第２のクォーター・ハンマ・トリップと協働し、第２の四半時ゴングを打鈴するように構成した第２のクォーター・ハンマを作動するように構成し、前記第１のクォーター歯（１５）及び前記第２のクォーター歯（１０５）は、四半時を打鈴する一連の第１の音及び第２の音が得られるように離間していることを特徴とする、請求項１に記載のムーブメント（２００）。
【請求項６】
前記打鈴機構（１００）は、分を打鈴するように構成すること、前記ミニッツ・ラック（３２）は、ミニッツ歯（３３）を含み、前記ミニッツ歯（３３）は、ミニッツ・ゴングを打鈴するように構成したミニッツ・ハンマを作動するミニッツ・ハンマ・トリップと協働するように構成することを特徴とする、請求項１に記載のムーブメント（２００）。
【請求項７】
前記打鈴機構（１００）は、打鈴香箱を含み、前記打鈴香箱は、前記ムーブメント（２００）内に備えた巻回軸によって巻回し、前記打鈴機構を解放するために、解放レバーを備え、前記解放レバーは、戻止めラチェットと噛み合い、前記ミニッツ・ラック（３２）、前記クォーター・ラック（１３）及び前記アワー・ラックの解放を生じさせ、前記３つの構成要素のそれぞれは、各自の戻しばねを有し、前記戻しばねは、前記戻止めラチェットによって解放されると前記構成要素を前記それぞれのスネイルに対し押圧するように構成することを特徴とする、請求項１に記載のムーブメント（２００）。
【請求項８】
前記打鈴機構（１００）は、スネイル組立体（４０）を含み、前記スネイル組立体（４０）は、同じ軸（Ｄ）周りに同軸に組み付けた、前記ミニッツ・スネイル（３０）、一方の第１のショルダ１１１、及びもう一方の心棒部分１１２を備え、前記ミニッツ・スネイル（３０）は前記クォーター・スネイル（１０）の第１のボア（１１３）を枢動させる管状部分（３０１）を含み、前記クォーター・スネイル（１０）は、前記クォーター・スネイル（１０）のリム上に支持するクォーター・カラー（１１４）のいずれかの側に、クォーター・カム（１１５）を含み、前記第１のショルダ（１１１）は、前記ミニッツ・サプライズ・ピース（３７）のボア（３７１）を中心に置き、前記ミニッツ・サプライズ・ピース（３７）は、前記クォーター・カラー（１１４）と前記ミニッツ・スネイル（３０）内に備えたミニッツ・カラー（３０２）との間に挿入し、前記心棒部分（１１２）は、前記クォーター・サプライズ・ピース（１９）のボア（１９１）を枢動し、前記ボア（１９１）は、前記クォーター・カラー（１１４）とアワー・ドライバ（２８）との間に封入し、前記アワー・ドライバ（２８）は、前記心棒部分（１１２）上に押圧され、前記クォーター・スネイル（１０）と一体であり、前記クォーター・サプライズ・ピース（１９）の軸方向の遊びを制限するように構成し、前記アワー・ドライバ（２８）は、前記軸（Ｄ）と平行である前記クォーター・ピン（２９）を支持し、前記アワー・スター・ホイール（２２）を駆動することを特徴とする、請求項１に記載のムーブメント（２００）。
【請求項９】
前記スネイル組立体（４０）は、中空軸小歯車（９１）も含み、前記中空軸小歯車（９１）は、前記ミニッツ・スネイル（３０）と一体に回転し、前記ムーブメント（２００）の前記駆動手段によって駆動され、１時間に１回転することを特徴とする、請求項８に記載のムーブメント（２００）。
【請求項１０】
前記スネイル組立体（４０）は、フィンガ（９２）も含み、前記フィンガ（９２）は、前記管状部分（３０１）上に押圧され、前記クォーター・スネイル（１０）の軸方向の遊びを制限し、前記打鈴機構（１００）内に備えたレバーと協働することによって前記打鈴機構を係止又は解除し、正時でアワー駆動手段を解放するように構成することを特徴とする、請求項８に記載のムーブメント（２００）。
【請求項１１】
前記スネイル組立体（４０）は、４つの歯が付いたスター・ホイール（９３）も含み、前記歯付きスター・ホイール（９３）は、前記管状部分（３０１）上に押圧され、各四半時でグランド・ソヌリ機構を解放するように構成することを特徴とする、請求項８に記載のムーブメント（２００）。
【請求項１２】
前記クォーター・サプライズ・ピース（１９）は、ドテピンを含み、前記ドテピンは、前記クォーター・スネイル（１０）内に備えた第１の筐体と協働するように構成することを特徴とする、請求項１に記載のムーブメント（２００）。
【請求項１３】
前記ミニッツ・スネイル（３０）は、第１の支承ピン（３０３）を含み、前記第１の支承ピン（３０３）は、条片ばね（１１０）と当接して協働するように構成し、前記条片ばね（１１０）は、前記クォーター・スネイル（１０）の取付け点（１０３）上に片持ちされていることを特徴とする、請求項１に記載のムーブメント（２００）。
【請求項１４】
前記ミニッツ・サプライズ・ピース（３７）は、第１の開口（３３７）を含み、前記第１の開口（３３７）の内部では、前記第１の支承ピン（３０３）は、移動を制限した状態で移動可能であることを特徴とする、請求項１３に記載のムーブメント（２００）。
【請求項１５】
前記ミニッツ・スネイル（３０）は、第２のドテピン（３０４）を含み、前記第２のドテピン（３０４）は、前記ミニッツ・サプライズ・ピース（３７）内に備えた第２の筐体（３７２；４３７）と協働するように構成することを特徴とする、請求項１に記載のムーブメント（２００）。
【請求項１６】
前記クォーター・サプライズ・ピース（１９）は、同軸で一体に回転する少なくとも１つの上側部分（２１９）及び下側部分（３１９）を含み、前記下側部分（３１９）は、実質的に円形のばねアーム（３１１）の端部に、前記クォーター・スネイル（１０）の第３のピン（７０１）と協働するように構成した第２のアイ（３１２）を含み、前記第３のピン（７０１）は、前記上側部分（２１９）内に備えた径方向切欠き（２１６）の内部を移動可能であり、前記クォーター・スネイル（１０）に対する前記上側部分（２１９）の移動を制限することを特徴とする、請求項１に記載のムーブメント（２０）。
【請求項１７】
前記上側部分（２１９）は、異なる半径の円形区分を含み、前記円形区分は、四分の四半時、及び前記クォーター・スネイル（１０）のそれぞれの区分に対応することを特徴とする、請求項１６に記載のムーブメント（２００）。
【請求項１８】
カリヨン打鈴機構を有する機械式時計（ｗａｔｃｈ）であり、請求項１に記載のムーブメント（２００）を含むことを特徴とする、時計（ｗａｔｃｈ）（１０００）。
【請求項１９】
カリヨン打鈴機構を有する機械式時計（ｃｌｏｃｋ）であり、請求項１に記載のムーブメント（２００）を含むことを特徴とする、時計（ｃｌｏｃｋ）（２０００）。
【発明の詳細な説明】
【技術分野】
【０００１】
本発明は、時及び四半時を異なるメロディで打鈴するカリヨン打鈴機構を有する計時器ムーブメントに関し、上記ムーブメントは、少なくとも１つのクォーター・スネイルを駆動するように構成した駆動手段を含み、上記打鈴機構は、
−アワー・スネイル、
−クォーター・ラック駆動小歯車、
−枢動ミニッツ・ラック、
−ミニッツ・サプライズ・ピース
を備え、アワー・スネイルは、アワー・ジャンパにより保持するアワー・スター・ホイールにより支持し、各時で、上記クォーター・スネイルと一体であるクォーター・ピンによって位置決めし、クォーター・ラック駆動小歯車は、打鈴列によって駆動し、枢動クォーター・ラックを駆動するように構成し、枢動クォーター・ラックの枢動移動は、上記クォーター・ラックと一体であるクォーター・フィーラによって制限し、枢動クォーター・ラックは、上記クォーター・スネイル上に載置されるように構成し、枢動ミニッツ・ラックの枢動移動は、上記枢動ミニッツ・ラックと一体であるミニッツ・フィーラによって制限し、枢動ミニッツ・ラックは、上記ムーブメントの上記駆動手段によって駆動するミニッツ・スネイル上に載置されるように構成し、クォーター・ラックは、上記ミニッツ・ラックの駆動歯を駆動するように構成した駆動手段を備え、ミニッツ・サプライズ・ピースは、上記ミニッツ・スネイルと同軸であり、上記ミニッツ・スネイルの上に重ねられ、上記クォーター・スネイルと一体に回転し、上記ミニッツ・スネイルに対して少なくとも部分的に枢動自由であり、ミニッツ・サプライズ・ピースのジャンパばねと協働し、四半時の変更直後及び最初の分の間に上記ミニッツ・スネイルのゼロ分段を延長するように構成する。
【０００２】
本発明は、精密時計学、特に時計のための、特にチャイム又はカリヨンを有する打鈴機構の分野に関する。
【背景技術】
【０００３】
打鈴機構は、精密時計学において、とりわけ最も高く評価されている複雑機構である。そのような機構を時計に組み込むことは、例外なく複雑なものである。
【０００４】
一般に、従来のグランド・ソヌリ機構は、低い方の音色の「ドン音」及び高い方の音色の「ディン音」の２つのゴングを有し、「ドン音」は時の打鈴に使用し、「ドン音」と「ディン音」とを組み合わせて、各四半時の「ディン・ドン音」を打鈴するものであり、この高い方の音色のゴングは、分を打鈴するように装備された時計の場合、分の打鈴に使用することもできる。
【０００５】
カリヨン又はチャイムを有するグランド・ソヌリ機構は、四半時毎及び正時に短いメロディを演奏するように設計されている。最も精巧なカリヨンでは、各四半時で異なるメロディを演奏する。また、時で演奏されるメロディは、個々の四半時のメロディから得られるシーケンスである。
【０００６】
正確な時間でメロディを演奏することは困難である。サプライズ・ピースは、打鈴機能が開始される瞬間に対しより良好な精度をもたらすものである。打鈴の間のあらゆる誤差を回避するために、例えば針と切欠きとを協働させるといった、かなり正確な調節を構成要素に対し行わなければならない。そのような機構は、調節が困難であり、衝撃があるとこの調節を損なう場合がある。
【０００７】
一代替形態は、スネイルをより大きく作製し、スネイルの時間期間を変更することである。しかし、利用可能な空間はその他の複雑機構によって異なり、そのような構成が常に可能であるわけではない。
【０００８】
ＮＯＵＶＥＬＬＥ  ＬＥＭＡＮＩＡ  ＳＡ名義の欧州特許出願第１４１６３４２Ａ１号は、中心ホイール・セットを備える打鈴計時器を開示しており、中心ホイール・セットは、１時間で１回転し、第１のスネイル、及び第１のスネイルに関連するサプライズ・ピース、第２のスネイル、打鈴動作制御部材に接続し、打鈴動作制御部材を作動した際に第２のスネイルに対し当接するように構成したフィーラを備えた枢動ラック、第１のスネイル上でサプライズ・ピースを枢動させるサプライズ・ピース・ジャンパ、及びラックが休止位置にあるときにサプライズ・ピース・ジャンパをサプライズ・ピースから離すサプライズ・ピース分離デバイスを備える。このサプライズ・ピース分離デバイスは、突出要素を含み、突出要素は、ラックに固定され、サプライズ・ピース・ジャンパと協働してサプライズ・ピース・ジャンパをサプライズ・ピースから離して移動させるように構成されている。
【０００９】
ＭＯＮＴＲＥＳ  ＢＲＥＧＵＥＴ  ＳＡ名義のスイス特許出願第７０４５９０Ａ２号は、計時器のための分離機構を開示しており、分離機構は、一方に計時器ムーブメント、もう一方に少なくとも１つの打鈴機構を含み、打鈴機構は、上記計時器ムーブメントによって駆動する時間基準上で時間情報を読み取るフィーラ・アームを含む。この分離機構は、計時器の制御機構と協働するように構成した少なくとも１つの第１の分離器を含み、第１の準備位置では、時間情報フィーラが時間基準上で情報を検索しないようにする停止位置を取るようにし、第２の非準備位置では、フィーラが通過して時間基準と接触することを可能にするようにする。
【先行技術文献】
【特許文献】
【００１０】
【特許文献１】欧州特許出願第１４１６３４２Ａ１号
【特許文献２】スイス特許出願第７０４５９０Ａ２号
【発明の概要】
【発明が解決しようとする課題】
【００１１】
本発明は、かなりの精度でカリヨン・チャイムを解放可能にする小型の代替形態をもたらすことを提案するものであり、従来のグランド・ソヌリ機構の最小可能構成要素しか使用しない。
【課題を解決するための手段】
【００１２】
この目的で、本発明は、請求項１に記載の計時器ムーブメントに関する。
【００１３】
本発明は、カリヨン打鈴機構を有する機械式時計（ｗａｔｃｈ）であり、そのようなムーブメントを含む時計（ｗａｔｃｈ）にも関する。
【００１４】
本発明は、カリヨン打鈴機構を有する機械式時計（ｃｌｏｃｋ）であり、そのようなムーブメントを含む時計（ｃｌｏｃｋ）にも関する。
【００１５】
本発明の他の特徴及び利点は、図面を参照する以下の詳細な説明を読めば明らかになるであろう。
【図面の簡単な説明】
【００１６】
【図１】本発明の第１の変形形態を示す図である。本発明によるムーブメントから構成した打鈴機構の一部の概略平面図であり、クォーター・ラックは、ミニッツ・ラックの上に重ねられている。公知の様式では、ミニッツ・ラックは、ミニッツ・スネイルと同一平面上にあり、ミニッツ・スネイルは、クォーター・チャイムを解放した後、最初の分の間、延長され、ミニッツ・ラックのフィーラによって、近接面のミニッツ・サプライズ・ピースによって感知することができ、このミニッツ・サプライズ・ピースは、ミニッツ・サプライズ・ピース・ジャンパと協働する。本発明に特定の公知の様式では、クォーター・ラックは、クォーター・スネイルと同一平面上にあり、クォーター・スネイルは、クォーター・チャイムを解放した後、最初の分の間、延長され、クォーター・ラックのフィーラによって、近接面に配置したクォーター・サプライズ・ピースによって感知することができ、このクォーター・サプライズ・ピースは、クォーター・サプライズ・ピース・ジャンパと協働する。図１は、チャイムを解放して時を打鈴する直前の、５９分における組立体の位置を示し、クォーター・サプライズ・ピース・ジャンパは、クォーター・サプライズ・ピースを保持している。
【図２】本発明の第１の変形形態を示す図である。図１と同様の図であり、クォーター・サプライズ・ピース・ジャンパが、クォーター・サプライズ・ピースと先端同士が接触している位置にある、ゼロ分における同じ機構を示す。
【図３】本発明の第１の変形形態を示す図である。図１及び図２と同様の図であり、１分における同じ機構を示し、ミニッツ・ラックは、ミニッツ・スネイル上に載置しており、次に、機構は、クォーター・サプライズ・ピースがクォーター・サプライズ・ピースを推進させる位置にある。
【図４】本発明の第１の変形形態を示す図である。スネイル組立体の概略断面図であり、本発明の第１の変形形態では、スネイル組立体は、同軸組立体であり、ここでは心棒部分を備えるミニッツ・スネイルの周囲に組み立てられた、クォーター・ラック及びミニッツ・ラックと協働する本発明の構成要素、並びにクォーター・サプライズ・ピース・ジャンパ及びミニッツ・サプライズ・ピース・ジャンパを支持する。この特定の非限定スネイル組立体は、ここでは、その上側端部からその下側端部に向かって以下を支持する：計時器ムーブメントと協働する中空軸小歯車、ミニッツ・スネイルのカラー、クォーター・スネイルに固着したミニッツ・サプライズ・ピース、クォーター・スネイルに続いて、且つクォーター・スネイル上でクォーター・サプライズ・ピースが枢動し、クォーター・サプライズ・ピースはアワー・ドライバによって軸方向に停止し、アワー・ドライバは、クォーター・スネイル上に押圧され、次に、フィンガが、ミニッツ・スネイルの管状部分上に押圧され、フィンガは、クォーター・スネイルのための軸方向停止部を形成し、このフィンガは、打鈴機構を係止又は解除するように働き、最終的に、４つの歯が付いたスターは、管状部分上に押圧され、各四半時でグランド・ソヌリ機構を解放するように構成する。
【図５】本発明の第１の変形形態を示す図である。図４のスネイル組立体の概略上面図である。
【図６】本発明の第１の変形形態を示す図である。図４のスネイル組立体の部分概略上面図である。ミニッツ・スネイル、ミニッツ・サプライズ・ピース及びクォーター・スネイルのみを示し、クォーター・スネイルは、筐体の内部に条片ばねを備える。
【図７】本発明の第１の変形形態を示す図である。ミニッツ・スネイルの概略平面図である。
【図８】本発明の第１の変形形態を示す図である。ミニッツ・サプライズ・ピースの概略平面図である。
【図９】本発明の第１の変形形態を示す図である。クォーター・スネイルの概略平面図である。
【図１０】本発明の第１の変形形態を示す図である。クォーター・サプライズ・ピースの概略平面図である。
【図１１】本発明の第１の変形形態を示す図である。アワー・ドライバの概略平面図である。
【図１２】本発明の第１の変形形態を示す図である。図１から図３と同様の図であり、５９分における異なる構成要素の位置を示す。３つの瞬間における、ミニッツ・ラックとミニッツ・スネイルとミニッツ・サプライズ・ピースとの間の協働を示す。
【図１３】図１から図３と同様の図であり、５９分における異なる構成要素の位置を示す。３つの瞬間における、クォーター・ラックとクォーター・スネイルとミニッツ・サプライズ・ピース・ジャンパとミニッツ・サプライズ・ピースとの間の協働を示す。
【図１４】本発明の第１の変形形態を示す図である。図１から図３と同様の図であり、５９分における異なる構成要素の位置を示す。図１６と同様に、３つの瞬間における、クォーター・ラックとクォーター・スネイルとミニッツ・サプライズ・ピース・ジャンパとミニッツ・サプライズ・ピースと、クォーター・サプライズ・ピースと、クォーター・サプライズ・ピース・ジャンパとの間の協働を示す。図１４は、アワー・ドライバも示し、アワー・ドライバは、中に備えたピンによって１２個の歯の付いたアワー・スター・ホイールを駆動するように構成する。
【図１５】本発明の第１の変形形態を示す図である。図１から図３と同様の図であり、ゼロ分における異なる構成要素の位置を示す。３つの瞬間における、ミニッツ・ラックとミニッツ・スネイルとミニッツ・サプライズ・ピースとの間の協働を示す。
【図１６】本発明の第１の変形形態を示す図である。図１から図３と同様の図であり、ゼロ分における異なる構成要素の位置を示す。３つの瞬間における、クォーター・ラックとクォーター・スネイルとミニッツ・サプライズ・ピース・ジャンパとミニッツ・サプライズ・ピースとの間の協働を示す。本発明によるクォーター・サプライズ・ピース及びクォーター・サプライズ・ピース・ジャンパを更に示す。
【図１７】本発明の第１の変形形態を示す図である。図１から図３と同様の図であり、ゼロ分における異なる構成要素の位置を示す。図１６と同様の、３つの瞬間における、クォーター・ラックとクォーター・スネイルとミニッツ・サプライズ・ピース・ジャンパとミニッツ・サプライズ・ピースと、クォーター・サプライズ・ピースと、クォーター・サプライズ・ピース・ジャンパとの間の協働を示す。アワー・ドライバも示し、アワー・ドライバは、中に備えたピンによって１２個の歯の付いたアワー・スター・ホイールを駆動するように構成する。
【図１８】本発明の第１の変形形態を示す図である。図１から図３と同様の図であり、１分における異なる構成要素の位置を示す。３つの瞬間における、ミニッツ・ラックとミニッツ・スネイルとミニッツ・サプライズ・ピースとの間の協働を示す。
【図１９】本発明の第１の変形形態を示す図である。図１から図３と同様の図であり、１分における異なる構成要素の位置を示す。３つの瞬間における、クォーター・ラックとクォーター・スネイルとミニッツ・サプライズ・ピース・ジャンパとミニッツ・サプライズ・ピースとの間の協働を示す。
【図２０】図１から図３と同様の図であり、１分における異なる構成要素の位置を示す。図１６と同様の、３つの瞬間における、クォーター・ラックとクォーター・スネイルとミニッツ・サプライズ・ピース・ジャンパとミニッツ・サプライズ・ピースと、クォーター・サプライズ・ピースと、クォーター・サプライズ・ピース・ジャンパとの間の協働を示す。図２０図は、アワー・ドライバも示し、アワー・ドライバは、中に備えたピンによって１２個の歯の付いたアワー・スター・ホイールを駆動するように構成する。
【図２１】本発明によるムーブメントを備える時計を示すブロック図であり、ムーブメントは、図示の打鈴機構を有する。
【図２２】本発明によるムーブメントを備える時計を示すブロック図であり、ムーブメントは、図示の打鈴機構を有する。
【図２３】本発明の第２の変形形態を示す図であり、クォーター・サプライズ・ピースは、ピンによって一体に回転する上側部分及び下側部分を含む。第２の変形形態のスネイル組立体の概略上面図である。
【図２４】本発明の第２の変形形態を示す図であり、スネイル組立体の第１の変形形態の図４と同様の、本発明の第２の特定の変形形態のスネイル組立体の概略断面図であり、スネイル組立体は、同軸組立体であり、ここでは心棒部分を備えるミニッツ・スネイルの周囲に組み立てられた、クォーター・ラック及びミニッツ・ラックと協働する本発明の構成要素、並びにクォーター・サプライズ・ピース・ジャンパ及びミニッツ・サプライズ・ピース・ジャンパを支持する。このスネイル組立体は、ここでは、その上側端部からその下側端部に向かって以下を支持する：計時器ムーブメントと協働する中空軸小歯車、ミニッツ・スネイル・カラー、クォーター・スネイルと一体に回転するミニッツ・サプライズ・ピース、クォーター・スネイルに続いて、且つクォーター・スネイル上で、クォーター・スネイルに従って、且つクォーター・スネイル上で、２つの重ね合わせた部分を備えるクォーター・サプライズ・ピースを枢動する。アワー・ドライバは、ミニッツ・サプライズ・ピース上に押圧され、４つの歯が付いたスターは、ミニッツ・スネイルの管状部分上に押圧され、各四半時でグランド・ソヌリ機構を解放するように構成する。図３５まで、上側（矢印Ａ）から辿る図を「上面」図と呼び、下側（矢印Ｂ）から辿る図を「底面」図と呼び、奇数番号の図は上面図であり、偶数番号の図は底面図である。
【図２５】本発明の第２の変形形態を示す図であり、クォーター・スネイルの概略平面上面図であり、クォーター・スネイルは、第１のスネイル・ピン、第２のスネイル・ピン及び第３のスネイル・ピンを支持する。クォーター・スネイルの条片ばねは、フックを含み、フックは、ミニッツ・スネイル内に備えた第１の支承ピンと協働するように構成する。
【図２６】本発明の第２の変形形態を示す図であり、ミニッツ・サプライズ・ピースの概略平面底面図であり、ミニッツ・サプライズ・ピースは、クォーター・スネイルの径方向切欠き、及び更には径方向楕円開口又は位置決めアイと相補的に協働するように構成した突起、ミニッツ・スネイル内に備えた同じ第１の支承ピンを封入するように構成した第１の開口、並びにミニッツ・スネイルが支持する第２のドテピンを封入するように構成した第２の開口を含む。
【図２７】本発明の第２の変形形態を示す図であり、クォーター・スネイル及びミニッツ・サプライズ・ピースを重ね合わせた構成の概略平面上面図である。
【図２８】本発明の第２の変形形態を示す図であり、同組立体の底面図である。
【図２９】本発明の第２の変形形態を示す図であり、以下で詳述するクォーター・スネイル、ミニッツ・サプライズ・ピース及びクォーター・サプライズ・ピースを重ね合わせた構成の概略平面上面図である。
【図３０】本発明の第２の変形形態を示す図であり、同組立体の底面図である。
【図３１】本発明の第２の変形形態を示す図であり、クォーター・サプライズ・ピースの上側部分の概略平面上面図であり、クォーター・サプライズ・ピースは、図３３に示すクォーター・サプライズ・ピースの下側部分と一体に回転するピンを支持し、クォーター・サプライズ・ピースは、上側部分のこのピンと協働する第１の径方向アイ、実質的に円形ばねアームの端部で、クォーター・スネイルの第３のピンと協働するように構成した第２のアイを含む。
【図３２】本発明の第２の変形形態を示す図であり、ミニッツ・スネイルの概略平面底面図であり、ミニッツ・スネイルは、クォーター・スネイルの条片ばねと協働するように構成した第１の支承ピン、及びミニッツ・サプライズ・ピースの第２の開口と協働するように構成した第２のドテピンを支持する。
【図３３】本発明の第２の変形形態を示す図であり、クォーター・サプライズ・ピースの下側部分の図である。
【図３４】本発明の第２の変形形態を示す図であり、クォーター・サプライズ・ピースの上側部分及び下側部分を重ね合わせた構成の概略平面上面図である。
【図３５】本発明の第２の変形形態を示す図であり、クォーター・サプライズ・ピースの上側部分及び下側部分を重ね合わせた構成の概略平面底面図である。
【図３６】本発明の第２の変形形態を示す図であり、図１から図３と同様の、第２の変形形態による打鈴機構の部分概略平面上面図であり、打鈴機構は、本発明によるムーブメント内に休止位置で備えられている。
【図３７】本発明の第２の変形形態を示す図であり、図１から図３と同様の、第２の変形形態による打鈴機構の部分概略平面底面図であり、打鈴機構は、本発明によるムーブメント内に休止位置で備えられている。
【図３８】本発明の第２の変形形態を示す図であり、図１から図３と同様の、第２の変形形態による打鈴機構の部分概略底面図であり、打鈴機構は、本発明によるムーブメント内に休止位置で備えられている。図３８は、図３７では示さない４つの歯が付いたスター・ホイールを含む。
【図３９】本発明の第２の変形形態を示す図であり、図１２から図２０と同様の図であり、５９分における異なる構成要素の位置を示す。ミニッツ・サプライズ・ピース、及び３つの瞬間における、ミニッツ・ラックとミニッツ・スネイルとミニッツ・サプライズ・ピースとの間の協働をより正確に示す。
【図４０】本発明の第２の変形形態を示す図であり、図１２から図２０と同様の図であり、５９分における異なる構成要素の位置を示す。クォーター・スネイル、及び３つの瞬間における、クォーター・ラックとクォーター・スネイルとミニッツ・サプライズ・ピース・ジャンパとミニッツ・サプライズ・ピースとの間の協働をより正確に示す。
【図４１】本発明の第２の変形形態を示す図であり、図１２から図２０と同様の図であり、５９分における異なる構成要素の位置を示す。クォーター・サプライズ・ピース、及び３つの瞬間における、クォーター・ラックとクォーター・スネイルとミニッツ・サプライズ・ピース・ジャンパとミニッツ・サプライズ・ピースと、クォーター・サプライズ・ピースと、クォーター・サプライズ・ピース・ジャンパとの間の協働をより詳細に示す。図４１は、アワー・ドライバも示し、アワー・ドライバは、中に備えたピンを介して１２個の歯が付いたアワー・スター・ホイールを駆動するように構成する。
【図４２】本発明の第２の変形形態を示す図であり、図１２から図２０と同様の図であり、ゼロ分における異なる構成要素の位置を示す。ミニッツ・サプライズ・ピース、及び３つの瞬間における、ミニッツ・ラックとミニッツ・スネイルとミニッツ・サプライズ・ピースとの間の協働をより正確に示す。
【図４３】本発明の第２の変形形態を示す図であり、図１２から図２０と同様の図であり、ゼロ分における異なる構成要素の位置を示す。クォーター・スネイル、及び３つの瞬間における、クォーター・ラックとクォーター・スネイルとミニッツ・サプライズ・ピース・ジャンパとミニッツ・サプライズ・ピースとの間の協働をより正確に示す。
【図４４】本発明の第２の変形形態を示す図であり、図１２から図２０と同様の図であり、ゼロ分における異なる構成要素の位置を示す。クォーター・サプライズ・ピース、及び３つの瞬間における、クォーター・ラックとクォーター・スネイルとミニッツ・サプライズ・ピース・ジャンパとミニッツ・サプライズ・ピースと、クォーター・サプライズ・ピースと、クォーター・サプライズ・ピース・ジャンパとの間の協働をより詳細に示す。図４４は、アワー・ドライバも示し、アワー・ドライバは、中に備えたピンを介して１２個の歯が付いたアワー・スター・ホイールを駆動するように構成する。
【図４５】本発明の第２の変形形態を示す図であり、図１２から図２０と同様の図であり、１分における異なる構成要素の位置を示す。ミニッツ・サプライズ・ピース、及び３つの瞬間における、ミニッツ・ラックとミニッツ・スネイルとミニッツ・サプライズ・ピースとの間の協働をより正確に示す。
【図４６】本発明の第２の変形形態を示す図であり、図１２から図２０と同様の図であり、１分における異なる構成要素の位置を示す。クォーター・スネイル、及び３つの瞬間における、クォーター・ラックとクォーター・スネイルとミニッツ・サプライズ・ピース・ジャンパとミニッツ・サプライズ・ピースとの間の協働をより正確に示す。
【図４７】本発明の第２の変形形態を示す図であり、図１２から図２０と同様の図であり、１分における異なる構成要素の位置を示す。クォーター・サプライズ・ピース、及び３つの瞬間における、クォーター・ラックとクォーター・スネイルとミニッツ・サプライズ・ピース・ジャンパとミニッツ・サプライズ・ピースと、クォーター・サプライズ・ピースと、クォーター・サプライズ・ピース・ジャンパとの間の協働をより詳細に示す。図４７は、アワー・ドライバも示し、アワー・ドライバは、中に備えたピンを介して１２個の歯が付いたアワー・スター・ホイールを駆動するように構成する。
【発明を実施するための形態】
【００１７】
本発明は、少なくとも時、及び各１時間周期の間で四半時を打鈴するように構成したカリヨン打鈴機構１００を含む計時器ムーブメント２００に関し、カリヨン打鈴機構１００は、各四半時及び正時で異なるメロディを伴う。より詳細には、この打鈴機構１００は、正時、そして順次、四半時で４つの異なるメロディを演奏するように構成する。より詳細には、この打鈴機構１００は、最初に時数を打鈴し、次にメロディを演奏するように構成する。
【００１８】
このムーブメント２００は、従来のように、とりわけ、少なくとも１つのクォーター・スネイル１０を駆動するように構成した駆動手段を含む。
【００１９】
本明細書では、打鈴機構の構造全体を詳細に説明しない。打鈴機構の製造に関する詳細は、当業者に周知であって、計時学の打鈴複雑時計で専門に扱われており、より詳細には著作物、題名「複雑時計のための案内書（Ｌｅｓ  ｍｏｎｔｒｅｓ  ｃｏｍｐｌｉｑｕｅｅｓ）」、Ｆｒａｎｃｏｉｓ  Ｌｅｃｏｕｌｔｒｅ著、Ｅｄｉｔｉｏｎｓ  ｈｏｒｌｏｇｅｒｅｓ、ビエンヌ（スイス）、ＩＳＢＮ  ２−８８１７５−０００−１（仏語版）、又はＩＳＢＮ  ２−８８１７５−００２−８（独語版）、又はＩＳＢＮ  ２−８８１７５−００１−Ｘ（英語版）、より詳細には、限定はしないが「Ｒｅｐｅａｔｉｎｇ  ｗａｔｃｈｅｓ」、「Ｏｌｄ  ｒｅｐｅａｔｉｎｇ  ｗａｔｃｈｅｓ」、「Ｍｏｄｅｒｎ  ｑｕａｒｔｅｒ  ｒｅｐｅａｔｅｒｓ」、「Ｓｉｍｐｌｉｆｉｅｄ  ｒｅｐｅａｔｅｒ」、Ｈａｌｆ−ｑｕａｒｔｅｒ  ｒｅｐｅａｔｅｒｓ」、Ｂｒｅｇｕｅｔ  ｈａｌｆ−ｑｕａｒｔｅｒ  ｒｅｐｅａｔｅｒ」、「Ｆｉｖｅ−ｍｉｎｕｔｅ  ｒｅｐｅａｔｅｒ」、Ｍｉｎｕｔｅ−ｒｅｐｅａｔｅｒｓ」、及び「Ｃｌｏｃｋ  ｗａｔｃｈｅｓ」と題する章で専門に扱われている。
【００２０】
「Ｃｌｏｃｋ  ｗａｔｃｈｅｓ」と題するこの最後の章は、より詳細には、本発明の背景に関し、時計又はグランド・ソヌリ機構は、時及び四半時が少なくとも経過する際、ユーザの介入なしに打鈴される。
【００２１】
本発明の実施に必要な、注目すべき構成要素のみを以下で言及する。
【００２２】
本発明のケースでは、打鈴機構１００は、
−アワー・スネイル２０、
−クォーター・ラック駆動小歯車１２、
−枢動ミニッツ・ラック３２、
−ミニッツ・サプライズ・ピース３７
を含み、アワー・スネイル２０は、アワー・ジャンパ２３が保持するアワー・スター・ホイール２２が支持し、各時で、クォーター・スネイル１０と一体であるクォーター・ピン２９によって位置決めし、クォーター・ラック駆動小歯車１２は、打鈴列によって駆動し、枢動クォーター・ラック１３を駆動するように構成し、枢動クォーター・ラック１３の枢動移動は、クォーター・ラック１３と一体であるクォーター・フィーラ１４によって制限し、枢動クォーター・ラック１３は、クォーター・スネイル１０上に載置されるように構成し、枢動ミニッツ・ラック３２の枢動移動は、枢動ミニッツ・ラック３２と一体であるミニッツ・フィーラ３１によって制限し、枢動ミニッツ・ラック３２は、ムーブメント２００の駆動手段によって駆動するミニッツ・スネイル３０上に載置されるように構成し、クォーター・ラック１３は、クォーター・ラック１３内に備えた駆動歯３９を駆動するように構成した駆動手段を含み、ミニッツ・サプライズ・ピース３７は、ミニッツ・スネイル３０と同軸であり、ミニッツ・スネイル３０の上に重ねられ、クォーター・スネイル１０と一体に回転し、ミニッツ・スネイル３０に対して少なくとも部分的に枢動自由であり、ミニッツ・サプライズ・ピース・ジャンパ３８と協働し、四半時の変更直後及び四半時後の最初の分の間にミニッツ・スネイル３０のゼロ分段を延長するように構成する。
【００２３】
本発明によれば、打鈴機構１００は、クォーター・サプライズ・ピース１９を含み、クォーター・サプライズ・ピース１９は、クォーター・スネイル１０と同軸であり、クォーター・スネイル１０の上に重ねられ、角度移動を制限した状態でクォーター・スネイル１０に対して少なくとも部分的に枢動自由であり、正時における四分の四半時（ｆｏｕｒ  ｑｕａｒｔｅｒ）のメロディ、新たな時における最初の分のメロディの順次演奏を保証するように構成する。打鈴機構１００は、クォーター・サプライズ・ピース１９の平面内に、クォーター・サプライズ・ピース１９を駆動及び／又は係止するように構成したクォーター・サプライズ・ピース・ジャンパ１０９も含む。
【００２４】
実施形態に応じて、クォーター・サプライズ・ピース１９は、図１から図１９に示す第１の変形形態のように一体要素であるか、又は図２３から図４７に示す第２の変形形態のようにいくつかの要素を組み込む部分組立体であってもよく、クォーター・サプライズ・ピース１９は、少なくとも１つの上側部分２１９及び下側部分３１９を含み、少なくとも１つの上側部分２１９及び下側部分３１９は、同軸であり、一体に枢動し、サプライズ・ピース・ピン４１９によって一体に回転する。
【００２５】
このクォーター・サプライズ・ピース・ジャンパ１０９は、変形形態に応じて、弾性戻り手段、特にばねによって推進するか、又はそのような弾性戻り手段から形成することができる。
【００２６】
特定の変形形態では、クォーター・サプライズ・ピース・ジャンパ１０９は、ミニッツ・サプライズ・ピース・ジャンパ３８と連結される。
【００２７】
別の特定の変形形態（図示せず）では、クォーター・サプライズ・ピース・ジャンパ１０９は、ミニッツ・サプライズ・ピース・ジャンパ３８と共に一体組立体を形成する。
【００２８】
また別の特定の変形形態（図示せず）では、クォーター・サプライズ・ピース・ジャンパ１０９は、ミニッツ・サプライズ・ピース・ジャンパ３８と連結される。クォーター・スネイル１０９及びミニッツ・サプライズ・ピース・ジャンパ３８は、異なる面にあるため、このレベルの差は、そのような連結接続の場合、例えば制御ピンによって修正しなければならず、より詳細には、この連結接続は、ばね等による弾性接続部を含むことに留意されたい。
【００２９】
より詳細には、クォーター・ラック１３は、第１のクォーター歯１５及び第２のクォーター歯１０５を含み、第１のクォーター歯１５は、第１のクォーター歯１５を作動させて第１の四半時ゴングを打鈴する第１のクォーター・ハンマ・トリップと協働するように構成し、第２のクォーター歯１０５は、第２の四半時ゴングを打鈴するように構成した第２のクォーター・ハンマ・トリップと協働するように構成し、第１のクォーター歯１５及び第２のクォーター歯１０５は、四半時を打鈴する一連の第１の音及び第２の音が得られるように離間している。
【００３０】
より詳細には、打鈴機構１００は、分を打鈴するように構成し、ミニッツ・ラック３２は、ミニッツ歯３３を含み、ミニッツ歯３３は、ミニッツ・ゴングを打鈴するように構成したミニッツ・ハンマを作動するミニッツ・ハンマ・トリップと協働するように構成する。
【００３１】
より詳細には、グランド・ソヌリ機構の場合、打鈴機構１００は、打鈴香箱を含み、打鈴香箱は、ムーブメント２００の巻回軸によって巻回される。打鈴機構は、解放レバーにより解放され、解放レバーは、戻止めラチェットと噛み合い、ミニッツ・ラック３２、クォーター・ラック１３及びアワー・ラックの解放を生じさせる。これら３つの構成要素のそれぞれは、各自の戻しばねを有する。戻止めラチェットがこれらの構成要素を解放するため、ばねは、これらの構成要素をそれぞれのスネイル上に押圧することができる。
【００３２】
より詳細には、図４及び図５に見られるように、打鈴機構１００は、スネイル組立体４０を含み、スネイル組立体４０は、同じ軸Ｄ周りに同軸に組み付けた、
−ミニッツ・スネイル３０、
−一方の第１のショルダ１１１、及び
−もう一方の心棒部分１１２
を含む。ミニッツ・スネイル３０はクォーター・スネイル１０の第１のボア１１３を枢動させる管状部分３０１を含む。このクォーター・スネイル１０は、クォーター・スネイル１０のリム上に支持するクォーター・カラー１１４のいずれかの側に、クォーター・カム１１５を含む。第１のショルダ１１１は、ミニッツ・サプライズ・ピース３７のボア３７１を中心に置く。このミニッツ・サプライズ・ピース３７は、クォーター・カラー１１４とミニッツ・スネイル３０内に備えたミニッツ・カラー３０２との間に挿入する。心棒部分１１２は、クォーター・サプライズ・ピース１９のボア１９１を枢動し、ボア１９１は、クォーター・カラー１１４とアワー・ドライバ２８との間に封入されている。このアワー・ドライバ２８は、心棒部分１１２上に押圧され、クォーター・スネイル１０と一体であり、クォーター・サプライズ・ピース１９の軸方向の遊びを制限するように構成する。このアワー・ドライバ２８は、軸Ｄと平行であるクォーター・ピン２９を支持し、アワー・スター・ホイール２２を駆動する。
【００３３】
より詳細には、スネイル組立体４０は、中空軸小歯車９１も含み、中空軸小歯車９１は、ミニッツ・スネイル３０と一体に回転し、ムーブメント２００の駆動手段によって駆動され、１時間に１回転する。
【００３４】
より詳細には、スネイル組立体４０は、フィンガ９２も含み、フィンガ９２は、管状部分３０１上に押圧され、クォーター・スネイル１０の軸方向の遊びを制限し、打鈴機構１００内に備えたレバーと協働することによって打鈴機構を係止又は解除してアワー駆動手段を正時で解放するように構成する。
【００３５】
より詳細には、スネイル組立体４０は、４つの歯が付いたスター・ホイール９３も含み、歯付きスター・ホイール９３は、管状部分３０１上に押圧され、各四半時でグランド・ソヌリ機構を解放するように構成する。
【００３６】
好ましくは、クォーター・サプライズ・ピース１９は、ドテピンを含み、ドテピンは、クォーター・スネイル１０内に備えた第１の円形又は楕円筐体と協働するように構成する。
【００３７】
好ましくは、ミニッツ・スネイル３０は、第１の支承ピン３０３を含み、第１の支承ピン３０３は、条片ばね１１０と当接して協働するように構成し、条片ばね１１０は、クォーター・スネイル１０の取付け点１０３上に片持ちされている。この取付け点１０３は、真鍮、レーザはんだ又は溶接又はその他の種類のものとすることができる。例えば微細加工材料から作製し、ＬＩＧＡ又は同様の方法によって成形する一変形形態では、クォーター・スネイル１０は、１０３に条片ばね１１０と一体に取り付けることができる。
【００３８】
好ましくは、ミニッツ・スネイル３０は、第２のドテピン３０４を含み、第２のドテピン３０４は、ミニッツ・サプライズ・ピース３７内に備えた第２の円形又は楕円筐体３７２と協働するように構成する。
【００３９】
図２３から図４７は、本発明の第２の変形形態を示し、クォーター・サプライズ・ピース１９は、ピン４１９によって一体に回転する上側部分２１９及び下側部分３１９を含む。
【００４０】
図２４は、第２の変形形態のスネイル組立体を示し、スネイル組立体は、同軸組立体であり、ここでは心棒部分を備えるミニッツ・スネイル３０の周囲に組み立てられた、クォーター・ラック及びミニッツ・ラックと協働する構成要素、並びにクォーター・サプライズ・ピース・ジャンパ及びミニッツ・サプライズ・ピース・ジャンパを支持する。このスネイル組立体は、矢印Ａの方向で、その上側端部からその下側端部に向かって以下を支持する：
−計時器ムーブメントと協働する中空軸小歯車９１、
−ミニッツ・スネイル３０のカラー、
−ミニッツ・サプライズ・ピース３７、
−アワー・ドライバ２８、
−４つの歯が付いたスター・ホイール９３
を支持し、ミニッツ・サプライズ・ピース３７は、楕円穴３７２を含み、第２のスネイル・ピン１７２を一体に回転駆動し、第２のスネイル・ピン１７２は、クォーター・スネイル１０によって支持し、クォーター・スネイル１０に従って、
−クォーター・スネイル上では、２つの重ね合わせた部分、即ち上側部分２１９及び下側部分３１９、から構成したクォーター・サプライズ・ピース１９を枢動し、
−１２本の歯でアワー・スター２２を駆動するピン２９を支持するアワー・ドライバ２８は、ミニッツ・サプライズ・ピース３７内に備えた管状部分上に押圧され、
−４つの歯が付いたスター・ホイール９３は、ミニッツ・スネイル３０の管状部分上に押圧され、各四半時でグランド・ソヌリ機構を解放するように構成する。
【００４１】
図２３及び図２４は、打鈴機構の休止位置を示し、休止位置では、全てが巻回され、打鈴機構調整器は停止し、打鈴機構を再度解放することができる。
【００４２】
クォーター・サプライズ・ピース１９は、ミニッツ・サプライズ・ピース３７上に重ねられ、ミニッツ・サプライズ・ピース３７に対して、クォーター・サプライズ・ピース１９を制限された様式で枢動することができる。
【００４３】
ミニッツ・スネイル３０は、クォーター・スネイル１０の条片ばね１１０と協働するように構成した第１の支承ピン３０３、及びミニッツ・サプライズ・ピース３７と協働するように構成した第２のドテピン３０４を支持する。
【００４４】
図２５から図２８は、クォーター・スネイル１０とミニッツ・サプライズ・ピース３７との並置を示し、クォーター・スネイル１０及びミニッツ・サプライズ・ピース３７は、一体に回転し、例えば、限定はしないが、リベット等で互いに対し留められている。この場合、管状組立体は、図２４からわかるように、ミニッツ・スネイル３０内に備えた管状部分上に収容されている。ミニッツ・スネイル３０は、ムーブメントによって駆動し、輪列のために依然として付勢されている。ミニッツ・サプライズ・ピース３７は、ミニッツ・スネイル３０に対して枢動することができる。クォーター・サプライズ・ピース１９は、ミニッツ・サプライズ・ピース３７に対して自由回転するように組み付けられている。
【００４５】
クォーター・スネイル１０は、第１のスネイル・ピン１７３、第２のスネイル・ピン１７２及び第３のスネイル・ピン７０１を支持し、その条片ばね１１０は、フック１１３０を含み、フック１１３０は、ミニッツ・スネイル３０内に備えた第１の支承ピン３０３と協働するように構成する。この変形形態では、このクォーター・スネイル１０は、平坦な打抜き形状で経済的に作製するか、又はＬＩＧＡ若しくはＭＥＭＳ若しくは同様の方法によって、微細加工可能な材料、シリコン等で作製することができ、クォーター・スネイル１０は、ここでは、径方向切欠き１１６を含み、径方向切欠き１１６は、ここでは管状部分を有するミニッツ・サプライズ・ピース３７の突起２３７と協働するように開口している。
【００４６】
条片ばね１１０のフック１１３０とミニッツ・スネイル３０の第１の支承ピン３０３との間の協働により、打鈴ユニットが自動的にその元の位置に戻ることが保証され、特に、ミニッツ・サプライズ・ピース３７が故意又は偶発的な動作によってジャンパ３８上で変位した場合に、機構がその初期位置に戻ることが保証される。
【００４７】
この目的で、ミニッツ・サプライズ・ピース３７は、第２のスネイル・ピン１７２と協働する楕円径方向開口又は位置決めアイ３７２、ミニッツ・スネイル３０内に備えた第１の支承ピン３０３を封入するように構成した第１の開口４３７、及び第２のドテピン３０４を封入するように構成した第２の開口３３７も含み、第２のドテピン３０４は、ミニッツ・スネイル３０によって支持し、打鈴ユニットがその初期位置に戻るようにする。
【００４８】
クォーター・サプライズ・ピース１９は、ここでは、２つの重ね合わせた部分、即ち、一体に枢動する上側部分２１９及び下側部分３１９、を含む。クォーター・サプライズ・ピース１９の上側部分２１９は、クォーター・サプライズ・ピースの下側部分３１９の第１の径方向アイ３１３と一体に回転するピン４１９を支持する。この下側部分３１９は、実質的に円形のばねアーム３１１の端部に、クォーター・スネイル１０の第３のピン７０１と協働するように構成した第２のアイ３１２を含み、第３のピン７０１は、上側部分２１９内に設けた径方向切欠き２１６の内部を移動可能であり、クォーター・スネイル１０に対する上側部分２１９の移動を制限するようにする。ばねアーム３１１は、特に、サプライズ・ピースによって生じるジャンプの際、クォーター・スネイルに対して上側部分２１９をその休止位置に戻す性質がある。クォーター・サプライズ・ピースがジャンプした場合、ばねは、ピンを初期の停止位置に戻す性質がある。
【００４９】
より詳細には、図３１から図３５に図示する変形形態からわかるように、上側部分２１９は、その周辺部に、異なる半径の４つの円形区分を有し、これらの区分は、四分の四半時、及びクォーター・スネイル１０のそれぞれの区分に対応する。したがって、これらの区分のいくつかは、切欠きによって分離し、クォーター・スネイル１０の対応区分に対応する最大半径の周辺部分２１８は、２つの側部２１７及び２１９０を有する切欠き２１６によって直ぐ隣のより小さい半径の区分から分離されている。
【００５０】
下側部分３１９は、突起を含み、突起は、より大きい同じ半径値の円形区分３１７を備え、縁部３１８で終端する。図３４及び図３５は、この上側部分２１９及び下側部分３１９を重ね合わせた構成を示す。
【００５１】
図２７及び図２８は、クォーター・スネイル１０及びミニッツ・サプライズ・ピース３７を重ね合わせた構成、並びに位置決めアイ３７２と第２のスネイル・ピン１７２との間の協働を示す。
【００５２】
図２９及び図３０は、クォーター・スネイル１０、ミニッツ・サプライズ・ピース３７及びクォーター・サプライズ・ピース１９を重ね合わせた構成を示す。これらの図は、第１のスネイル・ピン１７３と上側部分２１９の切欠き２１６の側部２１９０との間の当接状態での協働、並びに第３のスネイル・ピン７０１及び下側部分３１９の第２のアイ３１２との間の協働を示す。この下側部分３１９のばね３１１は、上側部分２１９を張り、ピン３１２に対して上側部分２１９を戻す性質がある。
【００５３】
図３６及び図３７は、休止位置における第２の変形形態を有する打鈴機構の一部を示す。
【００５４】
クォーター・サプライズ・ピース・ジャンパ１０９及びミニッツ・サプライズ・ピース・ジャンパ３８は、ここでは、非限定的に、同じ軸Ｓ周りに枢動するように組み付けられ、それぞれ、それぞれピン７０６及び７０５に作用するばね６０４及び６０３の作用を受ける。クォーター・サプライズ・ピース・ジャンパ１０９は、停止ピン７０２を支持し、図３６からわかるように、停止ピン７０２は、ミニッツ・ラック３２の切欠き上に載置され、ミニッツ・ラック３２のくちばし状縁部は、ミニッツ・サプライズ・ピース・ジャンパ３８上に載置され、したがって、ミニッツ・ラック３２上に応力を付与している。
【００５５】
クォーター・ラック１３及びミニッツ・ラック３２は、ここでは、非限定的に、同じ軸Ｐ周りに枢動するように組み付けられ、それぞればね６０２及び６０１の作用を受ける。楕円溝３２３は、ばね６０１を支持するピン７０３の移動を可能にする。
【００５６】
図３７は、ミニッツ・サプライズ・ピース３７の第２の開口３３７とミニッツ・スネイル３０の第２のドテピン３０４との間の協働を示す。
【００５７】
打鈴機構が解放されると、ばね６０１及び６０２はそれぞれ、ミニッツ・ラック３２及びクォーター・ラック１３を枢動させ、それぞれのスネイルを感知するようにする。
【００５８】
ミニッツ・ラック３２が自由落下すると、その動きにより２つのサプライズ・ピース・ジャンパを解放する。
【００５９】
時間が変化する際、
−５９分では、四分の三半時及び１４分が打鈴され、２つのジャンパはサプライズ・ピースを移動させない；
−正時のゼロ分では、四分の四半時のみが打鈴され、ミニッツ・ジャンパが移動し、ミニッツ・サプライズ・ピースを変位させ、上側段を触知し、ミニッツ・ラックの移動を制限する。クォーター・サプライズ・ピース・ジャンパは、クォーター・サプライズ・ピースに対して移動するが、クォーター・サプライズ・ピースを起動しない；
−四半時の打鈴が望ましくない、ちょうど１分である最初の分の瞬間では、ミニッツ・サプライズ・ピースは、ジャンパによって変位し、クォーター・サプライズ・ピースも、ジャンパによって変位する。
【００６０】
５９分の瞬間では、図３９からわかるように、ミニッツ・ラック３２が落下し、ミニッツ・サプライズ・ピース・ジャンパが解放され、ミニッツ・サプライズ・ピースの同軸円形外形上に移動し、これにより、一切の移動を伴わずに、ミニッツ・サプライズ・ピース・ジャンパ３８がその縁部３８０を介して、ミニッツ・サプライズ・ピース３７の円形周辺部３７０上に載置される。この図は、５時の位置における、開口内でのミニッツ・サプライズ・ピース３７の第２の開口３３７とミニッツ・スネイル３０の第２の支承ピン３０４との間の協働、及び１時の位置における開口内でのミニッツ・サプライズ・ピース３７の第１の開口４３７とミニッツ・スネイル３０の第１の支承ピン３０３との間の協働を示す。
【００６１】
ミニッツ・ラックのくちばし３２０は、ミニッツ・スネイル３０の切欠きの底部において、１４番目の切欠きで読取り位置にある。
【００６２】
図４０及び図４１からわかるように、クォーター・ラック１３のくちばし１３０は、クォーター・スネイル１０の最下レベル１１５上に載置されている。
【００６３】
第１のスネイル・ピン１７３は、上側部分２１９の切欠き２１６の側部２１９０上に載置されている。
【００６４】
図４１は、クォーター・サプライズ・ピース・ジャンパの解放を示し、クォーター・サプライズ・ピース・ジャンパは、クォーター・サプライズ・ピースに対して移動し、クォーター・ラックは、時計回りに回転して当接する。クォーター・サプライズ・ピースは、まだ移動していない。というのは、クォーター・サプライズ・ピース・ジャンパ１０９の雄Ｖ字形部分の面１０９９の１つは、クォーター・サプライズ・ピース１９の下側部分３１９の縁部３１８上に載置しているためである。
【００６５】
打鈴機構が解放されるゼロ分の瞬間では、ミニッツ・サプライズ・ピース・ジャンパに加えて、ミニッツ・ラックが解放され、ミニッツ・サプライズ・ピースと接触し、適時にミニッツ・サプライズ・ピースを解放し、ミニッツ・ラックが上側段を触知し、その移動を制限する。この場合、ピン３０４はその筐体内部で停止する。図４２からわかるように、ミニッツ・サプライズ・ピース・ジャンパ３８は、縁部３８０に隣接するスポーク形状部分３８１を介して、その円形ショルダ３７０の端部で、ミニッツ・サプライズ・ピース３７の縁部３７１上に載置されている。ミニッツ・ラック３２のくちばし３２０は、ミニッツ・サプライズ・ピース３７の別の円形ショルダ３７０上にもたれる。第２の支承ピン３０４は、その開口３３７内で９時の位置にあり、第１の支承ピン３０３は、その開口４３７内で７時の位置にある。ミニッツ・サプライズ・ピースが枢動すると、クォーター・スネイルも枢動する。クォーター・ラック１３のくちばし１３０は、突起２３７上に載置されているクォーター・スネイル１０の径方向切欠き１１６内部に深く貫入し、径方向切欠き１１６は、次にクォーター・ラックがアクセス可能な最下段である。ゼロ分の打鈴は、６０分、即ち、四分の四半時の打鈴に等しい。
【００６６】
第１のスネイル・ピン１７３は、依然として上側部分２１９の切欠き２１６の側面２１９０上に載置されている。
【００６７】
２つのジャンパは一緒に解放される。図４４は、クォーター・サプライズ・ピース・ジャンパ１０９のＶ字形部分の縁部１０９０が、クォーター・サプライズ・ピース１９の下側部分３１９の周辺円形部分３１７上に載置されていること、したがって、このレベルでは何も生じていないことを示す。
【００６８】
最初の分の瞬間では、１分のみで、四半時を鳴らす必要はない。打鈴機構を解放すると、ミニッツ・サプライズ・ピース・ジャンパが解放され、これにより、ミニッツ・サプライズ・ピースに対し作用し、ミニッツ・ラックに対してミニッツ・サプライズ・ピースを十分に変位させ、下側段を感知するようにする。図４５からわかるように、ミニッツ・サプライズ・ピース・ジャンパ３８は、スポーク形状部分３８１を介してミニッツ・サプライズ・ピース３７の縁部３７１上に依然として載置されている。ミニッツ・ラック３２のくちばし３２０は、ミニッツ・スネイル３０の最大直径部３０２上に径方向に載置され、ミニッツ・サプライズ・ピース３７の別の縁部３７１上に接線方向に載置されている。第２の支承ピン３０４は、その開口３３７内で依然として９時の位置にあり、第１の支承ピン３０３は、その開口４３７内で依然として７時の位置にある。クォーター・ラック１３のくちばし１３０は、クォーター・サプライズ・ピース１９の上側部分２１９の最大直径部２１８上に径方向に載置されている。
【００６９】
この目的は、クォーター・ラック・フィーラが突起２３７まで落下しないようにするためである。したがって、クォーター・サプライズ・ピース・ジャンパは、クォーター・サプライズ・ピースに作用し、クォーター・サプライズ・ピースを変位させ、クォーター・ラックの向かいに更なる段を挿入してクォーター・ラックが脱落しないようにする。図４６からわかるように、次に、第１のスネイル・ピン１７３は、上側部分２１９の切欠き２１６のもう一方の側面２１７上に載置されている。
【００７０】
図４７は、クォーター・サプライズ・ピース１９の下側部分３１９の縁部３１８が、クォーター・サプライズ・ピース・ジャンパ１０９のＶ字形部分の円形部１０９１上に載置されていることを示す。
【００７１】
したがって、この機構は、ユーザがミニッツ・リピータを５９分で開始した場合に四分の四半時を打鈴しないようにすることを可能にする。このことにより、ゼロ分では、ミニッツ・スネイル及びクォーター・スネイルが正しく変位し、四分の四半時及びゼロ分を正確に打鈴すること、並びに最初の分に達したときに、クォーター・サプライズ・ピースが必要に応じて変位することを保証し、四半時を打鈴しないが、１分のみを打鈴することを保証する。
【００７２】
本発明は、カリヨン打鈴機構を有する機械式時計（ｗａｔｃｈ）であり、そのようなムーブメント２００を含む時計（ｗａｔｃｈ）１０００にも関する。
【００７３】
本発明は、カリヨン打鈴機構を有する機械式時計（ｃｌｏｃｋ）であり、そのようなムーブメント２００を含む時計（ｃｌｏｃｋ）２０００にも関する。
【００７４】
したがって、本発明は、正確な時間でカリヨン打鈴機構の完全な動作を保証する。この動作は、従来の組立体により得られ、特定の専門的知識を必要とする複雑な調節を必要としない。本発明による打鈴機構は、特に、例示した変形形態のスネイル組立体のサイズを制限するものであり、据え付けが容易な小型ユニットを形成する。
【００７５】
本発明は、要求に応じて打鈴するミニッツ・リピータ機構も含むグランド・ソヌリ機構に適合しており、この場合、機構は、ユーザが解放すると、カリヨン・メロディによって最初に時間を、次に四半時を、次に分を打鈴する。
【符号の説明】
【００７６】
１０  クォーター・スネイル
１２  クォーター・ラック駆動小歯車
１３  枢動クォーター・ラック
１４  クォーター・フィーラ
２０  アワー・スネイル
２２  アワー・スター・ホイール
２３  アワー・ジャンパ
２９  クォーター・ピン
３２  枢動ミニッツ・ラック
３８  ミニッツ・サプライズ・ピース・ジャンパ
１００  カリヨン打鈴機構
２００  計時器ムーブメント
【図１】
2018105851.tif 000003
【図２】
2018105851.tif 000004
【図３】
2018105851.tif 000005
【図４】
2018105851.tif 000006
【図５】
2018105851.tif 000007
【図６】
2018105851.tif 000008
【図７】
2018105851.tif 000009
【図８】
2018105851.tif 000010
【図９】
2018105851.tif 000011
【図１０】
2018105851.tif 000012
【図１１】
2018105851.tif 000013
【図１２】
2018105851.tif 000014
【図１３】
2018105851.tif 000015
【図１４】
2018105851.tif 000016
【図１５】
2018105851.tif 000017
【図１６】
2018105851.tif 000018
【図１７】
2018105851.tif 000019
【図１８】
2018105851.tif 000020
【図１９】
2018105851.tif 000021
【図２０】
2018105851.tif 000022
【図２１】
2018105851.tif 000023
【図２２】
2018105851.tif 000024
【図２３】
2018105851.tif 000025
【図２４】
2018105851.tif 000026
【図２５】
2018105851.tif 000027
【図２６】
2018105851.tif 000028
【図２７】
2018105851.tif 000029
【図２８】
2018105851.tif 000030
【図２９】
2018105851.tif 000031
【図３０】
2018105851.tif 000032
【図３１】
2018105851.tif 000033
【図３２】
2018105851.tif 000034
【図３３】
2018105851.tif 000035
【図３４】
2018105851.tif 000036
【図３５】
2018105851.tif 000037
【図３６】
2018105851.tif 000038
【図３７】
2018105851.tif 000039
【図３８】
2018105851.tif 000040
【図３９】
2018105851.tif 000041
【図４０】
2018105851.tif 000042
【図４１】
2018105851.tif 000043
【図４２】
2018105851.tif 000044
【図４３】
2018105851.tif 000045
【図４４】
2018105851.tif 000046
【図４５】
2018105851.tif 000047
【図４６】
2018105851.tif 000048
【図４７】
2018105851.tif 000049
【外国語明細書】
2018105851000001.pdf